【手続補正書】
【提出日】平成16年6月21日(2004.6.21)
【手続補正１】
【補正対象書類名】特許請求の範囲
【補正対象項目名】全文
【補正方法】変更
【補正の内容】
【特許請求の範囲】
【請求項１】
標準のキーボードレイアウトのフォーマットに配置される複数のキーであって、各キーは、アルファベット文字、数字、およびコマンドの少なくとも１つに対応する印に対応付けられ、該アルファベット文字は文字Ａ〜Ｚを含み、該数字は０〜９を含み、かつ該コマンドは非アルファベットおよび非数字値および機能を含み、該キーは２６より少なくかつ９より多いキーに番号付けされたアルファベット文字に対応付けられ、アルファベットキーの数が標準のキーボードレイアウトに比較して低減され、かつ該アルファベット文字の少なくとも１つは、他のアルファベット文字とキーを共有し、該数字は電話キーバッドのフォーマットに配置される、複数のキー、
を含む、キーボード。
【請求項２】
少なくとも１つの数字がアルファベット文字とキーを共有する、請求項１に記載のキーボード。
【請求項３】
前記標準のキーボードレイアウトは、ＱＷＥＲＴＹ、ＱＷＥＲＴＺ、ＡＺＥＲＴＹ、またはＤＶＯＲＡＫのうちの１つを含む、請求項１に記載のキーボード。
【請求項４】
前記アルファベット文字に対応付けられたキーの数は１４であり、かつ複数のキーの総数が２３である、請求項１に記載のキーボード。
【請求項５】
前記複数のキーは、複数の行および複数の列を有する格子状に配置され、該複数の行は少なくとも１つの第１の行および最後の行を含み、該複数の列は少なくとも１つの第１の列および最後の列を含み、該第１の行および該第１の列は文字「ＱＷ」に対応するキーを含む、請求項１に記載のキーボード。
【請求項６】
コマンドの印は、少なくとも「ｂａｃｋｓｐａｃｅ」および「ｒｅｔｕｒｎ」を含み、それぞれには別個のキーが対応付けられ、「ｂａｃｋｓｐａｃｅ」印が対応付けられたキーは、「ｒｅｔｕｒｎ」印が対応付けられたキーの上に位置する、請求項１に記載のキーボード。
【請求項７】
前記複数のキーは、複数の行および複数の列を有する格子状に配置され、該複数の行は少なくとも１つの第１の行および最後の行を含み、該複数の列は少なくとも１つの第１の列および最後の列を含み、該最後の行および該第１の列は文字「ａｌｔ」コマンドに対応するキーを含む、請求項１に記載のキーボード。
【請求項８】
前記複数のキーは、複数の行および複数の列を有する格子状に配置され、該複数の行は少なくとも１つの第１の行および最後の行を含み、該複数の列は少なくとも１つの第１の列および最後の列を含み、該第１の行は文字「ＱＷ」に対応するキーを含む、請求項１に記載のキーボード。
【請求項９】
前記複数のキーのうちの１つは、「ｎｅｘｔ」コマンド印に対応付けられる、請求項１に記載のキーボード。
【請求項１０】
前記複数のキーのうちの１つは、「ｓｐａｃｅ」コマンド印および数字「０」印の両方に対応付けられる、請求項１に記載のキーボード。
【請求項１１】
前記複数のキーは、少なくとも４つの行および少なくとも５つの列を有する格子状に配置され、該少なくとも４つの行は第１、第２、第３および最後の行をこの順番で含み、かつ該少なくとも５つの列は第１、第２、第３、第４、および第５の列をこの順番で含む、請求項１に記載のキーボード。
【請求項１２】
数字０〜９に対応する印は、前記第２、第３、および第４列、前記第１、第２、および第３の列、または前記第３、第４および第５列に対応付けられる、請求項１１に記載のキーボード。
【請求項１３】
前記電話キーバッドは、前記第１、第２、第３、および最後の行におけるキーに対応付けられ、該第１の行５０におけるキーは、前記第２の列における数字「１」、前記第３の列における数字「２」、および前記第４の列における数字「３」を含み、該電話キーバッドは、該第２の列における数字「４」、該第３の列における数字「５」、該第４の列における数字「６」を含む該第２の行５２におけるキーに対応付けられ、該電話キーバッドは、該第２の列における数字「７」、該第３の列における数字「８」、該第４の列における数字「９」を含む該第３の行におけるキーに対応付けられ、かつ該電話キーバッドは、該第２の列における「＊」、該第３の列における数字「０」、該第４の列における「＃」を含む該最後の行におけるキーに対応付けられる、請求項１２に記載のキーボード。
【請求項１４】
前記行のうちの１つは、文字「ＱＷ」、「ＥＲ」、「ＴＹ」、「ＵＩ」、および「ＯＰ」にこの順番で対応するキーを含み、該行のうちの１つは、文字「ＡＳ」、「ＤＦ」、「ＧＨ」、「ＪＫ」、および「Ｌ」にこの順番で対応するキーを含み、かつ該行のうちの１つは、文字「ＺＸ」、「ＣＶ」、「ＢＮ」、および「Ｍ」にこの順番で対応するキーを含む、請求項１２に記載のキーボード。
【請求項１５】
前記第５の列は、「ｒｅｔｕｒｎ」コマンドに対する印に対応するキーを含む、請求項１２に記載のキーボード。
【請求項１６】
前記行は、アーチの形状である、請求項１１に記載のキーボード。
【請求項１７】
前記複数のキーのうちの１つは、「ｒｅｔｕｒｎ／ｅｎｔｅｒ」コマンドに対する印を含み、かつ該「ｒｅｔｕｒｎ／ｅｎｔｅｒ」印は、前記最後の行におけるキーに対応付けられる、請求項１１に記載のキーボード。
【請求項１８】
前記コマンド印に対応付けられたキーは、「ｒｅｔｕｒｎ」、「ｅｎｔｅｒ」、「ｓｐａｃｅ」、「ａｌｔ」、「ｂａｃｋｓｐａｃｅ」、「ｓｈｉｆｔ」、「ｃａｐｓ  ｌｏｃｋ」、および「ｎｕｍｅｒａｌ」のうちの少なくとも１つを含む、請求項１に記載のキーボード。
【請求項１９】
前記複数のキーは、形状を含み、かつ該形状は一様および非一様のうちの１つである、請求項１に記載のキーボード。
【請求項２０】
前記複数のキーは、少なくとも第１、第２、第３および最後の行、ならびに第１、第２、第３、第４、第５、第６、および第７列を含む格子状に配置される、請求項１に記載のキーボード。
【請求項２１】
前記複数のキーは、少なくとも４つの行および６つの列のキーを含む格子状に配置され、該少なくとも４つの行は、第１、第２、第３および最後の行を含み、かつ該６つの列は、第１、第２、第３、第４、第５、および第６の列を含む、請求項１に記載のキーボード。
【請求項２２】
前記複数のキーは、少なくとも４つの行および４つの列のキーを含む格子状に配置され、該少なくとも４つの行は、第１、第２、第３および最後の行を含み、かつ該４つの列は、第１、第２、第３、および第４の列を含む、請求項１に記載のキーボード。
【請求項２３】
前記印は、アルファベット印および数字印を含み、該アルファベット印はフォントサイズを有し、かつ該数字印はフォントサイズを有し、かつ該アルファベット印のフォントサイズは数字印のフォントサイズと同じか、または異なる、請求項１に記載のキーボード。
【請求項２４】
請求項１に記載のキーボードであって、前記キーのそれぞれは、該キーに対応付けられた印に対応する信号を作動させるように構成される、キーボードと、
作動時に該キーから前記信号を受信し、該受信信号をアルファベット数字、アルファベットおよびコマンド値のシーケンスにマッピングするためのキーボードインタプリタと
を含む、モバイル通信デバイス。
【請求項２５】
前記キーボードインタプリタは、前記信号をアルファベット数字およびコマンド値のシーケンスにマッピングするための予測テキストルーチンを使用する、請求項２４に記載のモバイル通信デバイス。
【請求項２６】
前記キーボードに動作可能に接続されるマイクロプロセッサであって、アルファベット、数字およびコマンド値を受信し、かつ該デバイスの動作を制御するためのマイクロプロセッサと、
該マイクロプロセッサによって実行可能なソフトウェアアプリケーションであって、複数の動作的機能を提供し、かつ該キーボードからの所定の入力があった際に該機能を開始するためのソフトウェアアプリケーションと
をさらに含む、請求項２４に記載のモバイル通信デバイス。
【請求項２７】
ディスプレイおよび少なくとも１つの補助入力をさらに含む、請求項２６に記載のモバイル通信デバイス。
【請求項２８】
前記デバイスは、双方向ポケットベル、データメッセージングデバイス、情報携帯端末、および携帯電話からなる群から選択される、請求項２４に記載のモバイル通信デバイス。
【請求項２９】
アルファベット文字Ａ〜Ｚ、数字０〜９およびコマンド値のＱＷＥＲＴＹ標準キーボードレイアウトに対応するアルファベット文字に対応付けられたキーを含む複数のキーおよび対応の印であって、該複数のキーは、電話キーパッドとして配置された数字０〜９に対応付けられ、該数字は、アルファベット文字とキーを共有し、該電話キーパッドは、中心線の回りに対称に配置された該複数のキーのサブセットに対応付けられ、かつアルファベット文字に対応付けられたキーの数は２６より少なくかつ９より多い、複数のキー
を含む、キーボード。
【請求項３０】
前記コマンド値は、機能、非アルファベット文字および非数字を含み、該コマンド値は、「＊」および「＃」のうちの少なくとも１つを含み、該「＊」に対応付けられたキーは、該「０」に対応付けられたキーの１つの側面に直接に隣接する位置にあり、かつ該「＃」に関連付けられたキーは、該「０」に対応付けられたキーの別の側面に直接に隣接する位置にある、請求項２９に記載のキーボード。
【請求項３１】
文字Ａ〜Ｚを含むアルファベット文字のＱＷＥＲＴＹキーレイアウトを含む複数のキーおよび対応の印であって、電話キーパッドは数字０〜９を含み、かつコマンド値は、機能、非アルファベットおよび非数字値を含み、該ＱＷＥＲＴＹキーレイアウトは、標準ＱＷＥＲＴＹキーレイアウトに比較して低減された列の数を有し、かつ該電話キーパッドはアルファベット文字およびコマンド値のうちの少なくとも１つとキーを共有する、複数のキー
を含む、キーボード。
【請求項３２】
前記列の数は奇数であり、かつ前記電話キーパッドは該列上の中心に配置される、請求項３１に記載のキーボード。
【請求項３３】
前記列の数は５であり、かつ少なくとも４つの行をさらに含み、前記ＱＷＥＲＴＹキーレイアウトは該４つの行のうちの３つにおけるキーを利用し、かつ前記電話キーパッドは該４つの行のうちのそれぞれにおけるキーを利用する、請求項３１に記載のキーボード。
【請求項３４】
ハウジング、ディスプレイ、およびキーボードを含む手持ちモバイルステーションであって、該キーボードは、対応付けられた１セットのキーを有する第１のユーザインタフェース、および対応付けられた１セットのキーを有する第２のユーザインタフェースを有し、該第２のユーザインタフェースは、該第１のユーザインタフェースのための該１セットのキーのうちのサブセットであり、該手持ちモバイルステーションは、
ＱＷＥＲＴＹ、ＱＷＥＲＴＺ、ＡＺＥＲＴＹ、またはＤＶＯＲＡＫからなる群から選択される標準キーボードレイアウトにおいて配置される該第１のユーザインタフェースと、
電話キーバッドとして配置される該第２のユーザインタフェースと、および
２６より少なくかつ９より多いキーを含む該第１のユーザインタフェースのための該１セットのキーと
を含む、手持ちモバイルステーション。
【請求項３５】
前記第２のユーザインタフェースは、前記手持ちモバイルステーションの面（ｆａｃｅ）の中心に配置される、請求項３４に記載の手持ちモバイルステーション。
【請求項３６】
前記第２のユーザインタフェースの数字「０」のための印は、前記第１のユーザインタフェースに対応付けられたｓｐａｃｅコマンドを表す、請求項３４に記載の手持ちモバイルステーション。
【請求項３７】
キーボードであって、
各キーに対応付けられた１つ以上の印を有する複数のキーであって、該複数のキーは、該キーボード上に少なくとも第１のユーザインタフェースを形成し、該第１のユーザインタフェースのキーおよび印は、ＱＷＥＲＴＹアルファベットキーレイアウトを形成するために配置され、該第１のユーザインタフェースのキーの多くは、１キー当たり１つ以上のアルファベット文字を表す、複数のキーと、
該複数のキーのうちのサブセットであって、該サブセットの各キーは、数字０〜９を表す印を有し、該サブセットは、該キーボード上で電話キーパッドとして配置される第２のユーザインタフェースを形成し、該数字を表す印は、該１サブセットのキーに関連付けられたいずれのアルファベット印とも異なるサイズを有する、該複数のキーのうちのサブセットと
を含む、キーボード。
【請求項３８】
複数の列および行を有する標準のキーボードレイアウトのフォーマットに配置される複数のキーであって、各キーは、アルファベット文字、数字、およびコマンドの少なくとも１つに対応する印に対応付けられ、該アルファベット文字は文字Ａ〜Ｚを含み、該数字は０〜９を含み、かつ該コマンドは非アルファベットおよび非数字値、または機能を含み、該アルファベットキーは、標準のキーボードレイアウトに関連付けられた列の数よりも少ない列において配置され、該数字は、電話キーバッドのフォーマットに配置され、かつキーの第１の列における該キーのうちの１つは、「ａｌｔ」機能に関連付けられる、複数のキー
を含む、キーボード。
【請求項３９】
複数の列および行を有する標準のキーボードレイアウトのフォーマットに配置される複数のキーであって、各キーは、アルファベット文字、数字、およびコマンドの少なくとも１つに対応する印に対応付けられ、該アルファベット文字は文字Ａ〜Ｚを含み、該数字は０〜９を含み、かつ該コマンドは非アルファベットおよび非数字値、または機能を含み、該アルファベットキーは、標準のキーボードレイアウトに関連付けられた列の数よりも少ない列において配置され、該数字は、電話キーバッドのフォーマットに配置され、かつキーの第１の列における該キーのうちの１つは、「ｒｅｔｕｒｎ」機能に関連付けられる、複数のキー
を含む、キーボード。
【請求項４０】
「ｂａｃｋｓｐａｃｅ」機能に関連付けられた前記キーのうちの１つをさらに含み、該「ｂａｃｋｓｐａｃｅ」キーは前記「ｒｅｔｕｒｎ」キーの上に位置される、請求項３９に記載のキーボード。
【請求項４１】
複数の列および行を有する標準のキーボードレイアウトのフォーマットに配置される複数のキーであって、各キーは、アルファベット文字、数字、およびコマンドの少なくとも１つに対応する印に対応付けられ、該アルファベット文字は文字Ａ〜Ｚを含み、該数字は０〜９を含み、かつ該コマンドは非アルファベットおよび非数字値、または機能を含み、該アルファベットキーは、標準のキーボードレイアウトに関連付けられた列の数よりも少ない列において配置され、該数字は、電話キーバッドのフォーマットに配置され、かつキーの第１の列における該キーのうちの１つは、「ｎｅｘｔ」機能に関連付けられる、複数のキーと、
サムホイールであって、該「ｎｅｘｔ」機能に関連付けられる該サムホイールおよび該キーは両方とも同じ機能を行う能力を有する、サムホイールと
を含む、キーボード。
【請求項４２】
請求項１〜２３、２９〜３３、または３７〜４１のうちの１つに記載のキーボードを含む、手持ちモバイル通信デバイス。
【請求項４３】
電話モードおよびテキスト入力モードを有する、請求項１〜２３、２９〜３３、または３７〜４１のうちの１つに記載のキーボードを含む、手持ちモバイル通信デバイス。
【手続補正２】
【補正対象書類名】明細書
【補正対象項目名】０００３
【補正方法】変更
【補正の内容】
【０００３】
小型ハンドヘルドデバイス用の現行のキーボードまたはキーパッドは、しばしば、標準的な１２個のキーを有する電話キーパッド（本明細書中、一括してキーバッドと呼ぶ）を用いる。これらのキーバッドは、３個のボタンの列を４列有する。最初の３つの列は、代表的には、左から右、上から下に昇順に並べられた数字の１〜９から形成される。第４の列は、「＊」、「０」、および「＃」のキーから形成される。アルファベット値は、標準的なアルファベットの順でキー２〜９に割り当てられている。このようなキーパッドを用いてテキストのタイピングをすることは、不慣れなやり方でデータを入力することをユーザに要求する。他の種類のキーボードは、ドヴォラック式、または、より一般的には、ＱＷＥＲＴＹキーボードモデルに準拠しており、ＲＩＭ９５０Ｗｉｒｅｌｅｓｓ  Ｈａｎｄｈｅｌｄ（登録商標）などの携帯用ハンドヘルドデバイスにおいて用いられる。この種のキーボードは、ハンドヘルドデバイスに適用された場合、ユーザの親指による操作に合わせて最適化された、複数の個別の小さいキーを用いる。しかし、このようなキーボードは、キーパッドよりもキーの数がかなり多く、多数の個別のキーは、キーパッドよりもプリント回路基板（ＰＣＢ）上のより多くの空間を必要とする。通常、各キーは、ＰＣＢ上にそれぞれの占有領域、およびスイッチを必要とする。このようなハンドヘルドデバイスのサイズは比較的小さいので、ＰＣＢ空間は制限され、ＱＷＥＲＴＹまたはドヴォラックタイプのキーボードは、ＰＣＢ上の貴重なスペースをとる。
【手続補正３】
【補正対象書類名】明細書
【補正対象項目名】０００７
【補正方法】変更
【補正の内容】
【０００７】
第１の局面において、本発明は、モバイルデバイス用のキーボードを提供する。このキーボードはアルファベットキー、複数の英数字キー、コマンドキーおよびキーボードインタープリタを含む。アルファベットキーは、少なくとも１つのアルファベット値に対応し、少なくとも１つのアルファベット値に対応する信号を作動するものである。複数の英数字キーは、数値および少なくとも１つのアルファベット値に対応し、対応する数値および少なくとも１つのアルファベット値に対応する信号を作動するものである。複数の英数字キーは、電話のキーパッドの数字配列を提供するように配置され、現在の好ましい実施形態においては完全なキーパッドは標準的なキーボード配列を提供するように、アルファベットキーとともに配置される。コマンドキーは、コマンドキー値に対応する信号を作動するものである。キーボードインタープリタは、アルファベットキー、複数の英数字キーおよびコマンドキーによって作動される信号を受信し、受信した信号を英数字値、アルファベット値、およびコマンド値のシーケンスにマッピングするものである。現在の好ましい実施形態において、標準的なキーボード配列は、従来のＱＷＥＲＴＹキーボード配列であり、キーパッドは、その中央に置かれている。別の実施形態において、アルファベットキー、複数の英数字キー、およびコマンドキーは、電子タッチディスプレイ、好ましくは、タッチセンサ液晶ディスプレイによって提供される。第１の局面の他の実施形態において、英数字キーはアルファベット値のみを含む。さらなる実施形態において、アルファベットキーおよび複数の英数字キーのそれぞれは、キーストロークインタープリタに１つの入力信号を提供する。キーストロークインタープリタは、受信した信号を英数字値およびコマンド値のシーケンスにマッピングする予測テキストルーチンを利用する。他の実施形態において、コマンドキーは、ＡＬＴキー、ＳＰＡＣＥＢＡＲキー、ＲＥＴＵＲＮキー、ＢＡＣＫＳＰＡＣＥキー、およびＳＨＩＦＴキーからなる群のうちの１つに対応する。
【手続補正４】
【補正対象書類名】明細書
【補正対象項目名】００１３
【補正方法】変更
【補正の内容】
【００１３】
標準的なキーボードを提供するために、使用されるキーの数を減らすことによって、メーカーはＰＣＢ上のドームスイッチの数および移動デバイスの前面のプレートの開口を作成するために必要とされる工具の数を減らすことが可能となる。キーの数が減ることはまた、そうでない場合には、２６個のアルファベット全ての値、１０個の数字の値、および少なくとも２つの英数字以外の値のキーを提供するために必要とされ得た表面面積と同じデバイスの表面面積で、より大きいキーを作動する能力をユーザに提供する。キーの数を減らすことは、より少なく、従ってより大きいキーを提供することに用いられ得るようになる。より大きいキーを有することで他のキーに囲まれた１つの小さいキーを作動させる困難さが減少する。
【手続補正５】
【補正対象書類名】明細書
【補正対象項目名】００４０
【補正方法】変更
【補正の内容】
【００４０】
第３列３５では、中央の３つのキーは英数字であり、この実施例ではキー３２Ｍが３つの文字、すなわち「Ｚ」、「Ｘ」および「Ｃ」に関連づけられている。